(57)【要約】【課題】沈胴時のレンズ鏡胴の光軸方向の厚みをより薄くしたレンズ鏡胴を得ること。【解決手段】複数のレンズ群で構成された変倍可能な撮像光学系と、少なくとも２つのレンズ群を移動させるためのカム筒と、カム筒により移動させられる前筒と、を有し、沈胴可能に構成されたレンズ鏡胴において、前筒は、最も被写体側のレンズ群を前筒に対して移動させるアクチュエータを備え、変倍時にアクチュエータにより最も被写体側のレンズ群を前筒に対して移動させるレンズ鏡胴とする。【選択図】図４
2007218954.tif 000002
【特許請求の範囲】
【請求項１】
複数のレンズ群で構成された変倍可能な撮像光学系と、カム筒と、前記カム筒により移動させられる前筒と、を有し、沈胴可能に構成されたレンズ鏡胴において、
前記前筒は、最も被写体側のレンズ群を前記前筒に対して移動させるアクチュエータを備え、変倍時に前記アクチュエータにより前記最も被写体側のレンズ群を前記前筒に対して移動させることを特徴とするレンズ鏡胴。
【請求項２】
前記最も被写体側のレンズ群は、少なくとも広角端時に前記前筒に対し被写体側に移動することを特徴とする請求項１に記載のレンズ鏡胴。
【請求項３】
前記前筒はレンズバリアを有し、前記最も被写体側のレンズ群の一部は、少なくとも広角端時に前記レンズバリアの像面側の面より被写体側に突出した位置に移動することを特徴とする請求項１又は２に記載のレンズ鏡胴。
【請求項４】
前記撮像光学系の少なくとも広角端時には前記最も被写体側のレンズ群以外の少なくとも１つのレンズ群を移動させてフォーカシングを行い、少なくとも望遠端時には前記最も被写体側のレンズ群を移動させてフォーカシングを行うことを特徴とする請求項１〜３のいずれか１項に記載のレンズ鏡胴。
【請求項５】
前記撮像光学系の少なくとも望遠端時には、無限遠から第１の被写体距離までは前記最も被写体側のレンズ群を移動させてフォーカシングを行い、前記第１の被写体距離から前記第１の被写体距離より近い第２の被写体距離では、前記最も被写体側のレンズ群を被写体側に移動させた状態で停止させ、前記最も被写体側のレンズ群以外の少なくとも１つのレンズ群を移動させてフォーカシングを行うことを特徴とする請求項１〜４のいずれか１項に記載のレンズ鏡胴。
【請求項６】
複数のレンズ群で構成された変倍可能な撮像光学系と、カム筒と、前記カム筒により移動させられる前筒と、を有し、沈胴可能に構成されたレンズ鏡胴において、
前記前筒は、最も被写体側のレンズ群を前記前筒に対して移動させるアクチュエータを備え、最も被写体側のレンズ群を前記前筒に対し被写体側に移動させた状態で停止させ、最も被写体側のレンズ群以外の少なくとも１つのレンズ群を移動させてフォーカシングを行うことを特徴とするレンズ鏡胴。
【請求項７】
撮像光学系により形成された被写体像を光電変換する撮像素子と、請求項１〜６のいずれか１項に記載のレンズ鏡胴を備えたことを特徴とする撮像装置。
【発明の詳細な説明】
【技術分野】
【０００１】
本発明は、沈胴可能に構成されたレンズ鏡胴及び該レンズ鏡胴を備えた撮像装置に関するものである。
【背景技術】
【０００２】
従来より、撮影に使用しない時には携帯時の利便性を優れたものとするべく、変倍光学系を構成する光学要素であるレンズ群の間隔を縮めることにより薄型に収納する、所謂沈胴式のレンズ鏡胴を採用したカメラが知られている。
【０００３】
この沈胴式のレンズ鏡胴として、３群構成の最後部の第３レンズ群をフォーカシングレンズとして用い、このフォーカシングレンズを駆動する駆動モータを鏡胴内に配置し、第３レンズ群より被写体側に位置する第１及び第２レンズ群をカム筒を用いて移動させズーミングを行うものが知られている（例えば、特許文献１参照）。
【特許文献１】特開２００３−２８７６７０号公報
【発明の開示】
【発明が解決しようとする課題】
【０００４】
図７は、従来の沈胴式のレンズ鏡胴の一例を示す模式断面図である。同図（Ａ）は沈胴時、同図（Ｂ）は広角端時、同図（Ｃ）は望遠端時を示している。同図を用いて従来の沈胴式のレンズ鏡胴の構成と動作概略を説明する。
【０００５】
同図において、１１は固定胴、１４はカム筒、１５は前筒である。前筒１５には最も被写体側に位置する第１レンズ群１が一体的に固着されている。カム筒１４には２種のカム溝が形成されており、このカム溝には前筒１５に形成されたカムピンと第２レンズ群２を保持する第２レンズ群鏡枠７に形成されたカムピンが、それぞれ係合している。最も像面側に位置する第３レンズ群３は、単独で移動できるよう不図示のモータにより移動可能となされている。
【０００６】
同図（Ａ）に示す沈胴状態から同図（Ｂ）に示す広角端の状態へは、カム筒１４が回転しつつ光軸Ｏ方向へ移動することで、前筒１５即ち第１レンズ群１と第２レンズ群鏡枠７即ち第２レンズ群２を所定量だけ被写体側へ移動させることで行われる。
【０００７】
また、同図（Ｂ）に示す広角端の状態から同図（Ｃ）に示す望遠端の状態へは、カム筒１４を更に回転させ、前筒１５即ち第１レンズ群１と第２レンズ群鏡枠７即ち第２レンズ群２を移動させて、間隔を変更することで行われる。
【０００８】
第３レンズ群３は、各焦点距離に対応して所定の位置に移動し、その位置から更に移動することでフォーカシングが行われる。
【０００９】
このような鏡胴の構成において、図示の如く、最大長となる広角端のレンズ鏡胴の光軸方向の長さをＬｗ、沈胴時のレンズ鏡胴の光軸方向の長さをＬｔ、前筒１５の光軸方向の長さをＬｍ、最大長となる広角端時の固定胴１１とカム筒１４の嵌合長及びカム筒１４と前筒１５の嵌合長をそれぞれｄとすると、
Ｌｗ＝２Ｌｔ＋Ｌｍ−２ｄ
で表され、Ｌｍが（Ｌｔ−ｄ）の場合、沈胴時のレンズ鏡胴の光軸方向の長さＬｔは、
Ｌｔ＝（Ｌｗ＋３ｄ）／３
となる。なお、ｂはレンズバリア等の機構部に要する厚みである。
【００１０】
即ち、従来のレンズ鏡胴の構成においては、沈胴時の光軸方向の長さ（厚み）Ｌｔは、嵌合長ｄを必要な所定量だけ確保した場合、最大長時のレンズ鏡胴の全長Ｌｗによって決まるということであり、沈胴時のレンズ鏡胴の光軸方向の厚みをこれ以上薄くすることは困難であった。
【００１１】
本発明は上記問題を鑑み、沈胴時のレンズ鏡胴の光軸方向の厚みをより薄くしたレンズ鏡胴を得ることを目的とし、このレンズ鏡胴を備えることで、より薄型の撮像装置を得ることを目的とするものである。
【課題を解決するための手段】
【００１２】
上記の目的は、下記に記載する発明により達成される。
【００１３】
１．複数のレンズ群で構成された変倍可能な撮像光学系と、カム筒と、前記カム筒により移動させられる前筒と、を有し、沈胴可能に構成されたレンズ鏡胴において、前記前筒は、最も被写体側のレンズ群を前記前筒に対して移動させるアクチュエータを備え、変倍時に前記アクチュエータにより前記最も被写体側のレンズ群を前記前筒に対して移動させることを特徴とするレンズ鏡胴。
【００１４】
２．前記最も被写体側のレンズ群は、少なくとも広角端時に前記前筒に対し被写体側に移動することを特徴とする１に記載のレンズ鏡胴。
【００１５】
３．前記前筒はレンズバリアを有し、前記最も被写体側のレンズ群の一部は、少なくとも広角端時に前記レンズバリアの像面側の面より被写体側に突出した位置に移動することを特徴とする１又は２に記載のレンズ鏡胴。
【００１６】
４．前記撮像光学系の少なくとも広角端時には前記最も被写体側のレンズ群以外の少なくとも１つのレンズ群を移動させてフォーカシングを行い、少なくとも望遠端時には前記最も被写体側のレンズ群を移動させてフォーカシングを行うことを特徴とする１〜３のいずれかに記載のレンズ鏡胴。
【００１７】
５．前記撮像光学系の少なくとも望遠端時には、無限遠から第１の被写体距離までは前記最も被写体側のレンズ群を移動させてフォーカシングを行い、前記第１の被写体距離から前記第１の被写体距離より近い第２の被写体距離では、前記最も被写体側のレンズ群を被写体側に移動させた状態で停止させ、前記最も被写体側のレンズ群以外の少なくとも１つのレンズ群を移動させてフォーカシングを行うことを特徴とする１〜４のいずれかに記載のレンズ鏡胴。
【００１８】
６．複数のレンズ群で構成された変倍可能な撮像光学系と、カム筒と、前記カム筒により移動させられる前筒と、を有し、沈胴可能に構成されたレンズ鏡胴において、前記前筒は、最も被写体側のレンズ群を前記前筒に対して移動させるアクチュエータを備え、最も被写体側のレンズ群を前記前筒に対し被写体側に移動させた状態で停止させ、最も被写体側のレンズ群以外の少なくとも１つのレンズ群を移動させてフォーカシングを行うことを特徴とするレンズ鏡胴。
【００１９】
７．撮像光学系により形成された被写体像を光電変換する撮像素子と、１〜６のいずれかに記載のレンズ鏡胴を備えたことを特徴とする撮像装置。
【発明の効果】
【００２０】
本発明によれば、同じ光学系を用いた場合であっても、従来に比べ、より薄い状態に沈胴できるレンズ鏡胴を得ることが可能となり、このレンズ鏡胴を備えることで、より薄型の撮像装置を得ることが可能となる。
【発明を実施するための最良の形態】
【００２１】
以下、実施の形態により本発明を詳しく説明するが、本発明はこれに限定されるものではない。
【００２２】
図１は、本実施の形態に係るレンズ鏡胴８０を搭載した撮像装置の一例であるカメラを示す外観図である。図１（ａ）はカメラ前面の斜視図、図１（ｂ）はカメラ背面の斜視図である。
【００２３】
図１（ａ）において、８０は本発明に係る沈胴式のレンズ鏡胴である。８２はファインダ窓、８３はレリーズ釦、８４はフラッシュ発光部、８６はマイク、８７はストラップ取り付け部、８８はＵＳＢ端子である。非撮影時にはレンズ鏡胴８０は沈胴し、レンズ鏡胴８０内に設けられたレンズバリアが最も被写体側のレンズ面を覆うようになっている。
【００２４】
図１（ｂ）において、９１はファインダ接眼部、９２は赤と緑の表示ランプであり、ＡＦやＡＥの情報をレリーズ釦８３が押圧された時、発光もしくは点滅により撮影者に表示するものである。９３はズーム釦であり、ズームアップ、ズームダウンをおこなう釦である。９４はスピーカであり、マイク８６で録音した音声の再生や、レリーズ音等を発するものである。９５はメニュー／セット釦、９６は選択釦で４方向スイッチであり、１００はモニターＬＣＤで画像やその他文字情報等を表示する。メニュー／セット釦９５で、モニターＬＣＤ１００上に各種のメニューを表示させ、選択釦９６で選択し、メニュー／セット釦９５で確定させる機能を有している。９７は再生釦で、撮影した画像の再生をおこなう釦である。９８はディスプレイ釦で、モニターＬＣＤ１００に表示された画像やその他文字情報の表示や消去を選択する釦である。９９は消去釦で、撮影記録した画像の消去をおこなう釦である。１０１は三脚穴、１０２は電池／カード蓋である。電池／カード蓋１０２の内部には、本カメラの電源を供給する電池と、撮影した画像を記録するカード型のリムーバブルメモリが装填されるようになっている。
【００２５】
図２は、本実施の形態に係るレンズ鏡胴８０の沈胴時の状態を示す概略断面図である。
【００２６】
同図において、１は負のパワーの第１レンズ群、２は正のパワーの第２レンズ群、３は正のパワーの第３レンズ群であり、本例に示したレンズ鏡胴８０に内包された撮影レンズは３群構成である。また、４はＯＬＰＦ（オプチカルローパスフィルタ）であり、偽色やモアレを防止するため、被写体光の高周波成分を除去する。５は結像した被写体光を光電変換する撮像素子であり、例えばＣＣＤ（Ｃｈａｒｇｅ  Ｃｏｕｐｌｅｄ  Ｄｅｖｉｃｅ）型イメージセンサやＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）型イメージセンサである。
【００２７】
第１レンズ群１は第１レンズ群鏡枠６によって保持され、第２レンズ群２は第２レンズ群鏡枠７によって保持され、第３レンズ群３は第３レンズ群鏡枠８によって保持されている。
【００２８】
１１は固定胴であり、図示していないカメラ本体に一体的に固定されており、内周にカム溝を有している。固定胴１１の後部には地板１２が固着されている。地板１２には順にＯＬＰＦ４、撮像素子５が装着されている。撮像素子５はプリント基板１３に電気的に接続されている。
【００２９】
１４はカム筒であり、外周には固定胴１１のカム溝と係合するカムピンが形成され、且つ後部の一部には部分歯車１４ｂが形成されている。また、カム筒１４の内周にはカム溝が形成されている。
【００３０】
また、カム筒１４には、直進移動部材１７と直進案内板１８とがカム筒１４の光軸方向への移動に伴って移動できるように組み付けられている。直進案内板１８には部分歯車１４ｂと歯合した駆動歯車２１が軸支されている。駆動歯車２１は、長歯車２２と歯合している。長歯車２２は不図示のモータ及び減速歯車列により駆動されるようになっている。
【００３１】
１５は前筒であり、前筒１５の外周にはカムピンが立設されており、カム筒１４のカム溝と係合している。
【００３２】
前筒１５は、最も被写体側のレンズ群である第１レンズ群１を保持すると共に、第１レンズ群鏡枠６を前筒１５に対して移動させる不図示のアクチュエータを備えており、このアクチュエータにより第１レンズ群１を前筒１５に対して相対的に移動させることができるようになっている。
【００３３】
直進案内板１８は、カム筒１４の撮像素子５側の環状の面に当接して摺動するようになっている。また、直進移動部材１７には、前筒１５と第２レンズ群鏡枠７に係合し、前筒１５と第２レンズ群鏡枠７を直進案内する直進案内部１７ｔが形成されている。３３は絞りシャッタユニットであり、第２レンズ群鏡枠７に固着されている。
【００３４】
４１はステッピングモータであり、送りネジ４２が接続されている。送りネジ４２には回転規制されたナット４３が螺合しており、第３レンズ群鏡枠８の腕部がバネ４４によりナット４３に押圧されている。これにより、ステッピングモータ４１により送りネジ４２が回転すると、ナット４３が光軸Ｏ方向に移動し、これに伴い第３レンズ群鏡枠８が光軸Ｏ方向に移動することが可能となっている。
【００３５】
５１はレンズバリアであり、沈胴状態では第１レンズ群１の前方を覆い、撮影状態では開いて撮影可能となされるようになっている。このバリアは、不図示であるが、沈胴時には直進案内部１７ｔの先端で係合して閉状態となり、レンズ群が繰り出される時には直進案内部１７ｔとの係合が解かれ、不図示の付勢部材により開状態となるものである。
【００３６】
図３は、前筒１５の内部で保持されている第１レンズ群１の、前筒１５に対して相対移動させる機構の一例を示す斜視図である。なお、以下の図においては説明の重複を避けるため、同機能部材には同符号を付与して説明する。
【００３７】
同図に示すように、前筒１５には光軸Ｏに略平行にガイド軸３１、３２が植設されている。このガイド軸３１、３２は、第１レンズ群１を保持する第１レンズ群鏡枠６に形成されたフランジ部で嵌合している。更に、第１レンズ群鏡枠６のフランジ部には、雄ネジ部材２４が螺合し、この雄ネジ部材２４を回転させるアクチュエータであるステッピングモータ２３が前筒１５に固着されている。
【００３８】
これにより、ステッピングモータ２３の駆動により雄ネジ部材２４を回転させることで、フランジ部で螺合する第１レンズ群鏡枠６は、ガイド軸３１、３２にガイドされ、前筒１５に対し光軸Ｏ方向に相対的に移動可能となっている。また、第１レンズ群鏡枠６のフランジ部には、舌状部６ｇが形成されており、舌状部６ｇの移動方向にはフォトインタラプタ２５が前筒１５に固着されている。このフォトインタラプタ２５の投受光部に舌状部６ｇを通過させ、この位置を基準にしてステッピングモータ２３の回転量を制御することで、第１レンズ群鏡枠６の前筒１５に対する相対位置を制御するようになっている。
【００３９】
図４は、本実施の形態に係るレンズ鏡胴８０の広角端時の状態を示す概略断面図である。沈胴状態から同図に示す広角端の状態への繰り出しは以下のようにして行われる。
【００４０】
不図示のモータを駆動し、長歯車２２、駆動歯車２１によりカム筒１４を回転させる。これによりカム筒１４は固定胴１１に形成されたカム溝１１ａに案内されて被写体側に繰り出され、カム筒１４の内周に形成されたカム溝１４ｃに係合したカムピン１６が固着された前筒１５及びカム筒１４に形成された不図示のカム溝に係合した第２レンズ群枠７は、直進案内部１７ｔにより直進案内されて、被写体方向に繰り出され、図示のような広角端の状態となる。このとき、直進移動部材１７と直進案内板１８とは、カム筒１４に伴って直進移動する。次いでステッピングモータ４１を駆動して第３レンズ群鏡枠８を被写体側の所定の広角端時の位置に移動させる。
【００４１】
更に、本実施の形態に係るレンズ鏡胴においては、図３に示すステッピングモータ２３を駆動して、第１レンズ群鏡枠６即ち第１レンズ群１を前筒１５に対して被写体側に移動させ、図示の如く、第１レンズ群１の被写体側の面をレンズバリア５１の像面側の面より被写体側に突出した位置まで繰り出し、第１レンズ群１及び第２レンズ群２は広角端の位置となる。
【００４２】
この広角端時には、フォーカシングはステッピングモータ４１を駆動して第３レンズ群３を光軸方向に移動させて行うようになっている。
【００４３】
図５は、本実施の形態に係るレンズ鏡胴８０の望遠端時の状態を示す概略断面図である。広角端の状態から同図に示す望遠端の状態への変倍は以下のようにして行われる。
【００４４】
不図示のモータを駆動し、長歯車２２、駆動歯車２１によりカム筒１４を回転させる。この広角端から望遠端の間では、固定胴１１に形成されたカム溝１１ａが傾斜を持たないように形成されておりカム筒１４は回転するのみである。また、カム筒１４の内周に形成されたカム溝１４ｃも傾斜を持たないように形成されており、係合するカムピン１６が固着された前筒１５も移動しないようになっている。
【００４５】
このとき、ステッピングモータ２３が駆動され、第１レンズ群鏡枠６即ち第１レンズ群１を前筒１５に対して像面側に移動させて繰り込まれ、図示の如く、第１レンズ群１は望遠端の所定の位置へ移動する。
【００４６】
一方、カム筒１４に形成された不図示のカム溝に係合した第２レンズ群枠７は、直進案内部１７ｔにより直進案内されて、被写体方向に繰り出され、図示のような望遠端の所定の位置へ移動する。このとき、直進移動部材１７と直進案内板１８とは、カム筒１４に伴って直進移動する。次いでステッピングモータ４１を駆動して第３レンズ群鏡枠８を所定の望遠端時の位置に移動させる。
【００４７】
この望遠端時のフォーカシングに関しては、被写体距離が無限遠から所定の距離の範囲内では、ステッピングモータ２３を駆動して第１レンズ群１を被写体側に移動させることでフォーカシングを行うようになっている。更に、所定の距離から至近側の被写体距離範囲では、第１レンズ群１の移動可能範囲の被写体側端位置に停止させた状態で、ステッピングモータ４１を駆動して第３レンズ群３を光軸方向に移動させることでフォーカシングを行うようになっている。
【００４８】
この、広角端時のフォーカシングと望遠端時のフォーカシングとが切り替わる焦点距離については、仕様に応じて中間の焦点距離で切り替わるように設定されている。
【００４９】
なお、図４及び図５に示す撮影時の繰り出し状態から図２に示す沈胴状態へはステッピングモータ２３を駆動して第１レンズ群１をバリア５１と干渉しない所定の位置に停止させ、ステッピングモータ４１を駆動して第３レンズ群３をＯＬＰＦ４の直前まで移動させた後、不図示のモータを繰り出し時と逆方向に駆動し、長歯車２２、駆動歯車２１によりカム筒１４を逆回転させることで行われる。
【００５０】
図６は、第１レンズ群１〜第３レンズ群３及び前筒１５の位置変化を示す移動線図である。
【００５１】
同図に示すように、沈胴状態から撮影領域である広角端への移動では、前筒１５、第１レンズ群１はカム筒１４により一体的に移動し、広角端に到達した後、ステッピングモータ２３により第１レンズ群１を前筒１５に対し被写体方向に移動させる（図示Ａで示す）。撮影領域である広角端と望遠端の間では、前筒１５は移動せず、ステッピングモータ２３により第１レンズ群１を前筒１５に対し移動させることで、中間の各焦点距離に対する所定の位置への第１レンズ群１の移動が行われる（図示Ｂで示す）。
【００５２】
一方、第２レンズ群２は、カム筒１４により各焦点距離に対する所定の位置への移動が行われる。また、第３レンズ群３は、ステッピングモータ４１により、独立して各焦点距離に対する所定の位置への移動が行われる。
【００５３】
以上が本実施の形態に係るレンズ鏡胴の構成及び動作である。
【００５４】
以上説明したように、本実施の形態のレンズ鏡胴８０は、前筒１５内の第１レンズ群１を前筒１５に対して移動可能とさせるアクチュエータを備え、広角端時には固定胴１１に対しカム筒１４、前筒１５を所定の嵌合長を確保して最大限に繰り出した後、更に、前筒１５に対し第１レンズ群１を被写体方向に繰り出すよう構成することにより、前筒１５に第１レンズ群１を固定した状態で最大繰り出し位置に移動させる構成に比べ、最大繰り出し時の鏡胴部の全長（Ｌｗ）を短縮することができ、これにより沈胴時の厚み（Ｌｔ）をより薄くしたレンズ鏡胴を得ることができる。
【００５５】
より具体的には、例えば、前筒１５に対し第１レンズ群１を略３ｍｍ被写体方向に繰り出すよう構成した場合には、従来方式の鏡胴部の全長Ｌｗに比べ、Ｌｗを略３ｍｍ短縮することができ、これにより沈胴時の厚みを略１ｍｍ薄くすることができる。
【００５６】
更に、望遠時には、前筒１５に対し第１レンズ群１を像面側に移動させることにより、前筒１５自体を像面側に移動させる必要が無く、前筒１５の像面側端面と第２レンズ群鏡枠７のカム筒１４との係合部を離間させた状態で第１レンズ群１と第２レンズ群２を充分に接近させることを可能とする効果をも奏する。
【００５７】
また、第１レンズ群１の変倍に係る光軸方向の移動を、前筒１５を停止した状態にして第１レンズ群１を前筒１５に対し相対移動させることでカム筒１４に形成するカム形状を簡素な形状とすることができ、金型を低コスト化できる。
【００５８】
また、広角端時には第１レンズ群１以外の第３レンズ群３を移動させてフォーカシングを行い、望遠端時には第１レンズ群１を移動させてフォーカシングを行うようにすることで、負正正の３群ズーム構成の各焦点距離の各々に最適なフォーカシングを行うことができ、フォーカシング時のレンズ位置変化による結像性能の変化を抑制することができる。
【００５９】
更に、望遠端時に無限遠から所定の被写体距離までは第１レンズ群１を移動させてフォーカシングを行い、所定の被写体距離より近い被写体距離においては、前記最も被写体側の第１レンズ群１を被写体側に移動させた状態で停止させ、第３レンズ群３を移動させてフォーカシングを行うよう構成することが好ましく、このようにすることで、倍率の高い望遠側でより至近距離までのマクロ撮影が可能となり、接写能力を向上させたレンズ鏡胴を得ることができる。
【００６０】
また、本実施の形態に係るレンズ鏡胴においては、変倍時に前筒に対し第１レンズ群を移動させるよう構成したもので説明したが、広角端の状態となった際に、第１レンズ群を前筒に対し被写体側に移動させた状態で停止させ、第３レンズ群を移動させてフォーカシングを行い、広角端から望遠端までの領域では、第１レンズ群を前筒に対し被写体側に移動させた状態で停止させた状態のまま、前筒をカム筒の回転により移動させるよう構成してもよく、この場合にも前筒の繰り出しで第１レンズ群を最大繰り出し位置に移動させる構成に比べ、最大繰り出し時の鏡胴部の全長（Ｌｗ）を短縮でき、これにより沈胴時の厚み（Ｌｔ）をより薄くしたレンズ鏡胴を得ることができる。
【００６１】
なお、３群構成のレンズ鏡胴で説明したが、これに限るものでなく、２群構成或いは４群以上の構成にも適用可能である。また、第１レンズ群の前筒内での移動機構をモータ及びリードスクリューを用いた例で説明したが、その他の例えば圧電素子を用いた移動機構等を用いてもよいのは勿論である。
【図面の簡単な説明】
【００６２】
【図１】本実施の形態に係るレンズ鏡胴を搭載した撮像装置の一例であるカメラを示す外観図である。
【図２】本実施の形態に係るレンズ鏡胴の沈胴時の状態を示す概略断面図である。
【図３】前筒の内部で保持されている第１レンズ群の、前筒に対して相対移動させる機構の一例を示す斜視図である。
【図４】本実施の形態に係るレンズ鏡胴の広角端時の状態を示す概略断面図である。
【図５】本実施の形態に係るレンズ鏡胴の望遠端時の状態を示す概略断面図である。
【図６】第１レンズ群〜第３レンズ群及び前筒の位置変化を示す移動線図である。
【図７】従来の沈胴式のレンズ鏡胴の一例を示す模式断面図である。
【符号の説明】
【００６３】
１  第１レンズ群
２  第２レンズ群
３  第３レンズ群
４  ＯＬＰＦ（オプチカルローパスフィルタ）
５  撮像素子
６  第１レンズ群鏡枠
７  第２レンズ群鏡枠
８  第３レンズ群鏡枠
１１  固定胴
１２  地板
１４  カム筒
１５  前筒
２１  駆動歯車
２２  長歯車
２３  ステッピングモータ
３１、３２  ガイド軸
４１  ステッピングモータ
５１  レンズバリア
８０  レンズ鏡胴
【図１】
2007218954.tif 000003
【図２】
2007218954.tif 000004
【図３】
2007218954.tif 000005
【図４】
2007218954.tif 000006
【図５】
2007218954.tif 000007
【図６】
2007218954.tif 000008
【図７】
2007218954.tif 000009